(57)【要約】      （修正有）【課題】方向指示器の回転移動による死角防止機能を備えたバックミラーシステムを提供する。【解決手段】固定支持棒１、ミラー本体２、転向機構３及び制御回路で構成される。固定支持棒１には転向歯車１１が設けられ、転向機構３はサーボモーター３１、歯車セット３２及びウォームギア３３を備え、ミラー本体２の後側は転向機構３に連結される。車両の走行中に制御回路はドライバーが方向指示器を操作する際にドライバーが方向転換するのか車道のレーンを変更するのかを判別させ、駆動モーターによりウォームギア３３を駆動させ転向歯車１１により転向機構３を連動させて回転させ、転向機構３に連結されるミラー本体２を連動させて左右どちらかに固定の角度まで転向させる。ドライバーはミラー本体２が転向することで左折或いは左のレーンに変更する際に必要な視野の角度を確保できる。【選択図】図１
0003185404.tif 000002
【実用新案登録請求の範囲】
【請求項１】
底部に転向歯車を設ける固定支持棒と、
後方には転向機構が連結されるミラー本体と、
歯車セット、ウォームギア、及びサーボモーターからなり、前記サーボモーターは歯車セットを駆動させてウォームギアを連動させて作動させると共に転向歯車に歯合される転向機構と、
モーターを駆動させて回転させるように方向指示器信号を受信させるための制御回路と、を含むことを特徴とする、方向指示器の回転移動による死角防止機能を備えたバックミラーシステム。
【請求項２】
前記制御回路はパルス波の発信元を検知して、左方向指示器信号或いは右方向指示器信号のどちらであるかを判別させることを特徴とする、請求項1に記載の方向指示器の回転移動による死角防止機能を備えたバックミラーシステム。
【考案の詳細な説明】
【技術分野】
【０００１】
本考案は、左方向指示器信号或いは右方向指示器信号に従いバックミラーを回転させる方向指示器の回転移動による死角防止機能を備えたバックミラーシステムに関する。
【背景技術】
【０００２】
車両での走行中ドライバーは主に左右両サイドのサイドミラー及び車内のバックミラーを目視して車両後方の状況を判断するが、但し一般的なバックミラーの視角には制限があり、車両の走行中に車道のレーンを変更したり方向転換する際に死角が生じてしまい、ドライバーが車両の後方の状況を確実に確認出来ない場合がある。このため、市場ではバックミラーに貼着させる凸型反射鏡が出回り、凸型反射鏡の凸型の鏡面の設計によりドライバーにより広い視角を確保させて後続車の状況を確認させて車両の安全性を高めている。
【０００３】
しかしながら、前述した従来の技術では、ドライバー毎に異なるドライビングの癖があるため、凸型反射鏡では完全に全てのドライバーを満足させることは出来ない。その原因は凸型反射鏡がバックミラーに貼着されるためドライバーがバックミラーを目視する際、バックミラーに映る像と凸型反射鏡に映る像の一部分とがオーバーラップしてしまい、ドライバーは運転中にこれを識別するのに注意を向けてしまうと運転の安全性に影響が生じる。また、凸型反射鏡は凸型の鏡面にデザインされているためより広い視角を確保出来るが、距離感に誤差を生じさせてしまい、ドライバーは後続車の状況を確認できるが後続車両と自分の運転する車両との距離を誤り、車道のレーンの変更時に事故を起こしたり、停車時に障害物に衝突してしまう等の問題を引き起こした。
【０００４】
そこで、本考案者は上記の欠点が改善可能と考え、鋭意検討を重ねた結果、合理的かつ効果的に課題を改善する本考案の提案に到った。
【先行技術文献】
【特許文献】
【０００５】
【特許文献１】なし
【考案の概要】
【考案が解決しようとする課題】
【０００６】
本考案は、このような従来の問題に鑑みてなされたものである。上記課題解決のため、本考案は、より広い視角をドライバーに与えて車両の後方の状況出来るようにする、方向指示器の回転移動による死角防止機能を備えたバックミラーシステムを提供することを主目的とする。
【０００７】
また、本考案は方向指示器の判定に基きドライバーに必要な視角を確保させる方向指示器の回転移動による死角防止機能を備えたバックミラーシステムを提供することを他の目的とする。
【課題を解決するための手段】
【０００８】
上述した課題を解決し、目的を達成するために、本考案に係る方向指示器の回転移動による死角防止機能を備えたバックミラーシステムは、底部に転向歯車を設ける固定支持棒と、後方には転向機構が連結されるミラー本体と、歯車セット、ウォームギア、及びサーボモーターからなり、前記サーボモーターは歯車セットを駆動させてウォームギアを連動させて作動させると共に転向歯車に歯合される転向機構と、モーターを駆動させて回転させるように方向指示器信号を受信させるための.制御回路を備えることを特徴とする。
【０００９】
また、請求項２に記載の方向指示器の回転移動による死角防止機能を備えたバックミラーシステムは請求項１において、前記制御回路がパルス波の発信元を検知させて左方向指示器信号なのか右方向指示器信号なのかを判別させることを特徴とする。
【考案の効果】
【００１０】
本考案によれば、車両の運転時にドライバーの方向指示器の操作に基きドライバーが方向転換もしくは車道のレーンを変更させるのかを判断させ、バックミラーの角度を調整させて方向転換や車道のレーン変更時の視野の角度に制限を設けさせないことで、ドライバーに車両の後方の状況を把握可能にする。また本考案に係る方向指示器の回転移動による死角防止機能を備えたバックミラーシステムではバックミラーの鏡面に如何なる変化も加えないため、従来の凸型反射鏡のようにドライバーがバックミラーを見て車両の後方の状況を確認する際に凸型反射鏡に映る像とバックミラーに映る像とがオーバーラップし、ドライバーが運転中にこれを識別するのに注意を払う必要はなくなる。
【図面の簡単な説明】
【００１１】
【図１】本考案の第１実施形態による方向指示器の回転移動による死角防止機能を備えたバックミラーシステムを説明する傾斜図である。
【図２】本考案の第１実施形態による方向指示器の回転移動による死角防止機能を備えたバックミラーシステムを説明する回路図である。
【図３】本考案の第１実施形態による方向指示器の回転移動による死角防止機能を備えたバックミラーシステムを説明する上面図である。
【図４】本考案の第１実施形態による方向指示器の回転移動による死角防止機能を備えたバックミラーシステムを説明する上面動作の概略図（一）である。
【図５】本考案の第１実施形態による方向指示器の回転移動による死角防止機能を備えたバックミラーシステムを説明する上面動作の概略図（二）である。
【考案を実施するための形態】
【００１２】
以下に図面を参照して、本考案を実施するための形態について、詳細に説明する。なお、本考案は、以下に説明する実施形態に限定されるものではない。
【００１３】
まず、本考案の方向指示器の回転移動による死角防止機能を備えたバックミラーシステムの第１実施形態について説明する。本考案の第１実施形態の構成を図１から図５に示す。本考案の実施形態に係る方向指示器の回転移動による死角防止機能を備えたバックミラーシステムは図１乃至図３に示すように、固定支持棒１、ミラー本体２、転向機構３及び制御回路４で構成され、前記固定支持棒１には転向歯車１１が設けられ、前記転向機構３はサーボモーター３1、歯車セット３２、及びウォームギア３３からなり、前記ミラー本体２の後側は転向機構３に連結され、前記制御回路４は左右の方向指示器が発生させるパルス波を検知させてサーボモーター３1の回転を制御させる。
【００１４】
本考案を使用する場合は、図１ないし図５に示すように、車両の走行中ドライバーは左方向指示器を操作し左折或いは左のレーンに変更する準備をすると、制御回路４は車両の左方向指示器が点滅する際に発生させるパルス波を検知させてサーボモーター３1を駆動させ、駆動モーター３1は歯車セット３２によりウォームギア３３を連動させ、ウォームギア３３と固定支持棒１の転向歯車１１とを歯合させ、転向歯車１１自体は回転せずにウォームギア３３が回転されると、ウォームギア３３は転向歯車１１により転向機構３を連動させて回転させ、転向機構３に連結されるミラー本体２を連動させて固定角度まで左に回転させ、ドライバーはミラー本体２が左に回転するために車両の左折或いは左のレーンに変更する際に必要な視野の角度を確保できる。
【００１５】
このほか、ドライバーが方向指示器を右に回し右折或いは左のレーンに変更する準備をすると、前記制御回路４は右方向指示器が点滅する際に発生させるパルス波を検知させてサーボモーター３1を駆動させ、駆動モーターは歯車セット３２によりウォームギア３３を連動させて回転させ、ウォームギア３３は転向歯車11により転向機構３を連動させて回転させ、転向機構３に連結されるミラー本体２を連動させて固定角度まで右に回転させ、ドライバーが右折或いは車道の右のレーンに変更する際に必要な視野の角度を確保させ、車両が左折や右折、ないしは車道のレーンを変更する動作が完了し、ドライバーが方向指示器をオフにすると、前記制御回路４は左右の方向指示器が起動する際に発生させるパルス波を検知しなくなるため、サーボモーター３1を駆動させてミラー本体２を本来の角度まで回転させて戻す。
【００１６】
上述の実施形態は本考案の技術思想及び特徴を説明するためのものにすぎず、当前記技術分野を熟知する者に本考案の内容を理解させると共にこれをもって実施させることを目的とし、本考案の登録請求範囲を限定するものではない。従って、本考案の精神を逸脱せずに行う各種の同様の効果をもつ改良又は変更は後述の請求項に含まれるものとする。
【符号の説明】
【００１７】
１：固定支持棒
２：ミラー本体
３：転向機構
４：制御回路
１１：転向歯車
３１：サーボモーター
３２：歯車セット
３３：ウォームギア
【図１】
0003185404.tif 000003
【図２】
0003185404.tif 000004
【図３】
0003185404.tif 000005
【図４】
0003185404.tif 000006
【図５】
0003185404.tif 000007